(57)【要約】      （修正有）【課題】通信事業者によらず、操作者の一回の遠隔操作によるメール送信のみで確実に携帯端末の機能を制限できる携帯端末遠隔操作システムを提供する。【解決手段】他の端末から送信したメールを受信するメール受信手段４０３と、特定の発信元メールアドレスを記憶する特定メールアドレス記憶手段４０５と、受信したメールが特定の発信元メールアドレスからのメールかどうかを解析するメールアドレス解析手段４０４と、メールが特定の発信元メールアドレスからのメールであり内容がコマンドであれば、このコマンドを解析するコマンド解析手段４０６と、解析されたコマンドを実行するコマンド制御手段４０７とを有することにより、現在携帯端末が受信できなくても通信端末から遠隔送信さえしておけば、受信可能状態で受信して遠隔操作内容を実行することができる。【選択図】  図４
2004166013.tif 000002
【特許請求の範囲】
【請求項１】
メールを受信するメール受信手段と、特定のメールアドレスを記憶する特定メールアドレス記憶手段と、受信したメールが前記特定のメールアドレスからのメールかどうかを解析するメールアドレス解析手段と、前記メールが前記特定のメールアドレスからのメールであり、メールの内容がコマンドの場合に、前記コマンドを解析するコマンド解析手段と、前記コマンド解析手段で解析された前記コマンドを実行するコマンド制御手段とを有することを特徴とする携帯端末。
【請求項２】
メールを受信するメール受信手段と、受信したメールから認証データを抽出して正当性を解析する認証データ解析手段と、抽出した前記認証データが正当であり、メールの内容がコマンドの場合に、前記コマンドを解析するコマンド解析手段と、前記コマンド解析手段で解析された前記コマンドを実行するコマンド制御手段とを有することを特徴とする携帯端末。
【請求項３】
前記認証データが添付ファイルであることを特徴とする請求項２記載の携帯端末。
【請求項４】
前記コマンドは機能制限コマンドであり、前記コマンド制御手段が前記機能制限コマンドを実行することを特徴とする請求項１ないし３のいずれかに記載の携帯端末。
【請求項５】
前記機能制限コマンドを解除するパスワードを入力するパスワード入力手段を有することを特徴とする請求項４記載の携帯端末。
【請求項６】
前記メール受信手段は、前記機能制限コマンドとともに前記機能制限コマンドを解除するコマンドを受信することを特徴とする請求項４記載の携帯端末。
【請求項７】
前記コマンド解析手段は、解析したコマンドが受信したメールに添付されている音声データの再生と判定することを特徴とする請求項１ないし６のいずれかに記載の携帯端末。
【請求項８】
受信したメールに請求項４記載の機能制限のための特定の発信元メールアドレスを含むかどうか判定する特定メールアドレス管理手段と、メールが前記特定の発信元メールアドレスを含むと判定された場合、メールを送信先に送信するメール送信手段とを有することを特徴とするメールサーバ。
【請求項９】
受信したメールに含まれている請求項５記載の認証データが正当な認証データであるかどうか判定する認証データ管理手段と、前記認証データが正当な認証データと判定された場合、前記メールを送信先に送信するメール送信手段とを有することを特徴とするメールサーバ。
【請求項１０】
遠隔操作される請求項１および請求項４ないし７のいずれかに記載の携帯端末と、前記携帯端末に対するメールの配送取捨選択を行う請求項８に記載のメールサーバと、前記携帯端末を遠隔操作するメールを前記メールサーバを通して送信する通信端末とを有することを特徴とする携帯端末遠隔操作システム。
【請求項１１】
請求項２ないし７のいずれかに記載の遠隔操作される携帯端末と、前記携帯端末に対するメールの配送取捨選択を行う請求項９に記載のメールサーバと、前記携帯端末を遠隔操作するメールを前記メールサーバを通して送信する通信端末とを有することを特徴とする携帯端末遠隔操作システム。
【請求項１２】
自己の現在位置を検出する位置検出手段と、前記自己の現在位置の情報を含むメールを作成するメール作成手段と、メールを送信するメール送信手段とを有することを特徴とする請求項１ないし７のいずれかに記載の携帯端末。
【請求項１３】
画像データを取得する画像取得手段を有することを特徴とする請求項１２記載の携帯端末。
【請求項１４】
請求項１２または１３に記載の携帯端末から送信したメールを受信する通信端末側メール受信手段と、受信したメールを解析して位置情報を抽出する通信端末側メール解析手段と、抽出した前記位置情報を表示する位置表示手段とを有することを特徴とする通信端末。
【請求項１５】
請求項１ないし７のいずれかに記載の携帯端末から車両停止信号を受信して車両停止を指示する車両制御手段と、前記車両制御手段の指示により車両を停止させる車両停止手段とを有することを特徴とする車両。
【発明の詳細な説明】
【０００１】
【発明の属する技術分野】
本発明は、携帯型の通信端末に対し他の端末から遠隔操作する携帯端末、携帯端末遠隔操作システム及び方法に関するものである。
【０００２】
【従来の技術】
従来、携帯電話等の携帯端末を紛失した場合には、通信事業者に対して連絡し、通信事業者で機能制限を行うようにしていた。そのため、紛失かどうかを確定するまでは、安易に機能制限を行うことができないという問題があった。また、機能制限を行う前に拾得者が住所、電話番号、メール内容などの個人情報を転送して記憶することにより、悪用することが多発していた。これを解決するために、（株）日立国際電気製の携帯電話Ｋ０２１０ｉでは、紛失した携帯電話に対し、同一電話から設定した一定時間内に設定した回数着信させることによって、機能制限を行うことができるようにしている（例えば、非特許文献１参照）。
【０００３】
【非特許文献１】
（株）日立国際電気、製品紹介  携帯電話  ＮＴＴ  Ｄｏｃｏｍｏ  Ｋ０２１０ｉ  置き忘れヘルプ機能、〔ｏｎｌｉｎｅ〕、〔平成１４年２月１日検索〕、インターネット＜ＵＲＬ：  ｈｔｔｐ：／／ｗｗｗ．ｈ−ｋｏｋｕｓａｉ．ｃｏｍ／ｐｒｏｄｕｃｔ／ｉｎｄｅｘ．ｈｔｍ  ＞
【０００４】
【発明が解決しようとする課題】
ところで、上記のような機能制限を確実に行うためには、更に解決すべき問題があった。第１に、携帯電話に電源が入っていなければ、着信できないため、機能制限できない。第２に、電波状況がよいとは限らないので、一定時間内に着信できない可能性もある。このような場合は、当然のことながら、機能制限できない。第３に、携帯電話の状況がわからないまま、発信動作を繰り返さなければならないことになるため、遠隔操作者による任意の時間に一度の操作で確実に機能制限できないという問題があった。
【０００５】
本発明は、上記従来の問題を解決するためになされたもので、通信事業者の手続きを必要とせず、遠隔操作者の任意な時間に、一度の遠隔操作によるメール送信のみで確実に機能制限できる携帯端末、携帯端末遠隔操作システム及び方法を提供するものである。
【０００６】
【課題を解決するための手段】
本発明における携帯端末は、メールを受信するメール受信手段と、特定のメールアドレスを記憶する特定メールアドレス記憶手段と、受信したメールが前記特定のメールアドレスからのメールかどうかを解析するメールアドレス解析手段と、前記メールが前記特定のメールアドレスからのメールであり、メールの内容がコマンドの場合に、前記コマンドを解析するコマンド解析手段と、前記コマンド解析手段で解析された前記コマンドを実行するコマンド制御手段とを有するという構成を有している。この構成により、携帯端末が現時点でメール受信できない状況であっても、通信端末が携帯端末宛に一回遠隔操作内容をメール送信さえしておけば、携帯端末はメール受信可能な状態になったときに自動的にメールを受信し、遠隔操作による機能制限など遠隔操作内容を実行することができる。
【０００７】
本発明における携帯端末は、メールを受信するメール受信手段と、受信したメールから認証データを抽出して正当性を解析する認証データ解析手段と、抽出した前記認証データが正当であり、メールの内容がコマンドの場合に、前記コマンドを解析するコマンド解析手段と、前記コマンド解析手段で解析された前記コマンドを実行するコマンド制御手段とを有するという構成を有している。この構成により、携帯端末が現時点でメール受信できない状況であっても、通信端末が携帯端末宛に一回遠隔操作内容をメール送信さえしておけば、携帯端末はメール受信可能な状態になったときに自動的にメールを受信し、特定のメールアドレスからのメールでなくても発信元を認証することで、遠隔操作による機能制限など遠隔操作内容を実行することができる。
【０００８】
本発明における携帯端末は、前記認証データが添付ファイルであるという構成を有している。この構成により、認証データを添付ファイルとして送信メールに添付することにより、認証データをコマンドとともに容易に送信することができる。
【０００９】
本発明における携帯端末は、前記コマンドが機能制限コマンドであり、前記コマンド制御手段が前記機能制限コマンドを実行するという構成を有している。この構成により、メール内容を機能制限コマンドとし、携帯端末に実行させることにより、携帯端末の機能を遠隔操作により容易に制限することができるとともに、機能制限を通信端末保有者が自ら行えるため、通信事業者の機能制限手続きのためのコストを削減することができる。
【００１０】
本発明における携帯端末は、前記機能制限コマンドを解除するパスワードを入力するパスワード入力手段を有するという構成を有している。この構成により、通信端末保有者に戻された携帯端末に機能制限を解除するパスワードを入力することにより、携帯端末の機能制限及び機能制限の解除を通信端末保有者が自ら行うため、携帯端末の機能制限及び機能制限の解除を遠隔操作により簡単、迅速且つ低コストで行なうことができる。
【００１１】
本発明における携帯端末は、前記メール受信手段が、前記機能制限コマンドとともに前記機能制限コマンドを解除するコマンドを受信するという構成を有している。この構成により、通信事業者を通さず、遠隔操作者の一回の遠隔操作によるメール送信のみで確実に携帯端末の機能制限ができるとともに、第三者に他人にパスワードが漏洩した場合でも、携帯端末の機能制限と共にパスワードの変更ができることにより、不正利用を困難にすることができる。
【００１２】
本発明における携帯端末は、前記コマンド解析手段が、解析したコマンドが受信したメールに添付されている音声データの再生と判定するという構成を有している。この構成により、遠隔操作者の一回の遠隔操作によるメール送信のみで確実に携帯端末の機能制限ができるとともに、携帯端末を拾得した第三者物に対する警告文を送信したメールに添付することにより、不正利用しようとする第三者物に対し音声により警告することがすることができる。
【００１３】
本発明におけるメールサーバは、受信したメールに請求項４に記載の機能制限のための特定の発信元メールアドレスを含むかどうか判定する特定メールアドレス管理手段と、メールが前記特定の発信元メールアドレスを含むと判定された場合、メールを送信先に送信するメール送信手段とを有するという構成を有している。この構成により、送信元メールアドレスによりドメイン毎にメール受信を一括受信拒否指定されている場合、指定のドメインであっても、特定のメールアドレスから携帯端末に対しては一括受信拒否しないで遠隔操作をすることができる。
【００１４】
本発明におけるメールサーバは、受信したメールに含まれている請求項５に記載の認証データが正当な認証データであるかどうか判定する認証データ管理手段と、前記認証データが正当な認証データと判定された場合、前記メールを送信先に送信するメール送信手段とを有するという構成を有している。この構成により、メール受信を一括受信拒否指定されているドメインであっても、受信メールに添付されている認証データが正当な場合は、一括受信拒否しないで遠隔操作をすることができる。
【００１５】
本発明における携帯端末遠隔操作システムは、遠隔操作される請求項１および請求項４ないし７のいずれかに記載の携帯端末と、前記携帯端末に対するメールの配送取捨選択を行う請求項８に記載のメールサーバと、前記携帯端末を遠隔操作するメールを前記メールサーバを通して送信する通信端末とを有するという構成を有している。この構成により、携帯端末が現時点でメール受信できない状況であっても、通信端末が携帯端末宛に一回遠隔操作内容をメール送信さえしておけば、携帯端末はメール受信可能な状態になったときに自動的にメールを受信し、遠隔操作により機能制限など遠隔操作内容を実行することができるとともに、送信元メールアドレスによりドメイン毎にメール受信を一括受信拒否指定されている場合、指定のドメインであっても、特定のメールアドレスから携帯端末に対しては一括受信拒否しないで遠隔操作をすることができる。
。
【００１６】
本発明における携帯端末遠隔操作システムは、請求項２ないし７のいずれかに記載の遠隔操作される携帯端末と、前記携帯端末に対するメールの配送取捨選択を行う請求項９に記載のメールサーバと、前記携帯端末を遠隔操作するメールを前記メールサーバを通して送信する通信端末とを有するという構成を有している。この構成により、携帯端末が現時点でメール受信できない状況であっても、通信端末が携帯端末宛に一回遠隔操作内容をメール送信さえしておけば、携帯端末はメール受信可能な状態になったときに自動的にメールを受信し、特定のメールアドレスからのメールでなくても発信元を認証することで、遠隔操作により機能制限など遠隔操作内容を実行することができるとともに、メール受信を一括受信拒否指定されているドメインであっても、受信メールに添付されている認証データが正当な場合は、一括受信拒否しないで遠隔操作をすることができる。
【００１７】
本発明における携帯端末は、自己の現在位置を検出する位置検出手段と、前記自己の現在位置の情報を含むメールを作成するメール作成手段と、メールを送信するメール送信手段とを有するという構成を有している。この構成により、携帯端末が現時点でメール受信できない状況であっても、通信端末が携帯端末宛に一回遠隔操作内容をメール送信さえしておけば、携帯端末はメール受信可能な状態になったときに自動的にメールを受信し、機能制限など遠隔操作内容を遠隔操作により実行することができるとともに、携帯端末の位置検出手段により検出した位置情報をメールで通信装置に送信して、現在及び過去の位置情報を通信装置に通知することができる。
【００１８】
本発明における携帯端末は、画像データを取得する画像取得手段を有するという構成を有している。この構成により、携帯端末が現時点でメール受信できない状況であっても、通信端末が携帯端末宛に一回遠隔操作内容をメール送信さえしておけば、携帯端末はメール受信可能な状態になったときに自動的にメールを受信し、機能制限など遠隔操作内容を遠隔操作により実行することができるとともに、携帯端末により取得した位置情報及び画像データをメールで通信装置に送信することにより、紛失した携帯端末の位置情報及び周囲の状況を通信装置に通知することができる。
【００１９】
本発明における通信端末は、請求項１２または１３に記載の携帯端末から送信したメールを受信する通信端末側メール受信手段と、受信したメールを解析して位置情報を抽出する通信端末側メール解析手段と、抽出した前記位置情報を表示する位置表示手段とを有するという構成を有している。この構成により、受信したメールから携帯端末の位置情報及び画像データを抽出し、現在及び過去の位置情報及び画像データを表示することができる。
【００２０】
本発明における車両は、請求項１ないし７のいずれかに記載の携帯端末から車両停止信号を受信して車両停止を指示する車両制御手段と、前記車両制御手段の指示により車両を停止させる車両停止手段とを有するという構成を有している。この構成により、盗難または紛失した車両を遠隔操作により安全な場所に強制停車させることができることとなる。
【００２１】
本発明における携帯端末遠隔操作システムは、遠隔操作により請求項１５に記載の車両を制御する請求項１２または１３に記載の携帯端末と、前記携帯端末に対するメールの配送取捨選択を行う請求項８または９に記載のメールサーバと、前記携帯端末を遠隔操作するとともに前記車両を制御するメールを前記メールサーバを通して送信する請求項１４に記載の通信端末とを有するという構成を有している。この構成により、携帯端末が現時点でメール受信できない状況であっても、通信端末が携帯端末宛に一回遠隔操作内容をメール送信さえしておけば、携帯端末はメール受信可能な状態になったときに自動的にメールを受信し、機能制限など遠隔操作内容を遠隔操作により実行することができるとともに、紛失した車両及び携帯端末の位置情報及び画像データを携帯端末からメールで通信装置に送信することにより、紛失した車両及び携帯端末の位置情報及び周囲の状況を通信装置に通知して、通信装置の指示により紛失した車両を遠隔操作により強制停車させることができる。
【００２２】
本発明における携帯端末遠隔操作方法は、請求項１ないし７のいずれかに記載の各手段か、または請求項１２または１３に記載の各手段を実行するという構成を有している。この構成により、メール内容を機能制限コマンドとし、携帯端末に実行させることにより、遠隔操作により携帯端末の機能を容易に制限することができるとともに、機能制限を通信端末保有者が自ら行えるため、通信事業者の機能制限手続きのためのコストを削減することができる。
【００２３】
本発明におけるプログラムは、コンピュータを請求項１ないし７のいずれか、または請求項１２または１３に記載の各手段として機能させるという構成を有している。この構成により、通信事業者を必要とせず、遠隔操作者の一回の遠隔操作によるメール送信のみで確実に機能制限など携帯端末の遠隔操作を可能にすることができる。
【００２４】
【発明の実施の形態】
以下、添付図面に基づき、本発明の第１ないし第３の実施の形態を詳細に説明する。
（第１の実施の形態）
まず、図１ないし図４を参照して、本発明の第１の実施の形態における携帯端末遠隔操作システムの構成を説明する。図１の概略図に示す携帯端末遠隔操作システムは、遠隔操作を行う通信端末２００と、メールの配送取捨選択を行うメールサーバ３００と、遠隔操作される携帯端末としての携帯電話４００とを有して構成される。なお、ここで、通信端末２００は携帯端末のみでなく、例えば、卓上端末、パソコンまたはその他、携帯電話４００に送信できるものであれば如何なるものでもよく、また、メールサーバ３００は基地局等端末間の通信が可能なところであれば、何処においてもよい。
【００２５】
また、図２に示す通信端末２００は、遠隔操作するためのコマンドを選択するコマンド選択手段２０４と、選択されたコマンドによりメールを作成するメール作成手段２０３と、作成されたメールをパケットに分割し、送信するためのメール送信手段２０２と、無線通信するための無線通信手段２０１とにより構成される。
【００２６】
また、図３に示すメールサーバ３００は、無線通信するための無線通信手段３０１と、受信データがどのアプリケーションのデータであるかを解析し、受信したデータがメールである場合、メールを受信するメール受信手段３０２と、受信したメールの発信元メールアドレスが、機能制限のために登録済みの特定の発信元メールアドレスであるか判定する特定メールアドレス管理手段３０３と、受信したメールの発信元メールアドレスが特定の発信元メールアドレスでなかった場合、登録済みの一括受信拒否に指定されているドメインであるか判定する一括受信拒否手段３０４と、特定の発信元メールアドレスの場合、そのメールを送信するためにメールをパケット分割してデータを送信するメール送信手段３０５とで構成される。
【００２７】
また、図４に示す携帯電話４００は、無線通信するための無線通信手段４０１と、無線通信手段での受信データがパケットデータであるか音声であるかを判定する受信手段４０２と、パケットデータがメールパケットであった場合、パケットを連結して、メールを受信するメール受信手段４０３と、受信したメールの発信元メールアドレスを抽出し、特定メールアドレス格納手段記憶手段４０５に格納されているメールアドレスと比較して判定するメールアドレス解析手段４０４と、発信元メールアドレスと特定メールアドレスが一致した場合、コマンドの解析を行うコマンド解析手段４０６と、解析したコマンドに従い、コマンドを実行するコマンド制御手段４０７と、コマンド実行されたコマンドに対して、コマンド解除を行うためのパスワードを記憶するパスワード記憶手段４０８と、コマンド解除を行うためのパスワードを入力するパスワード入力手段４０９と、メールを送信するメール送信手段４１１と、受信データが音声であった場合、音声通話を可能とする通話手段４１０と、通話手段４１０及びメール送信手段４１１からの要求により、送信を行う送信手段４１２とで構成される。
【００２８】
次に、図１ないし図４を参照して、本発明の第１の実施の形態における携帯端末遠隔操作システムの動作を説明する。まず、携帯電話４００の所有者が、携帯電話４００を紛失したとする。この場合、携帯電話４００からの発信をさせたくないので、通信端末２００において、コマンド選択手段２０４により、携帯電話４００からの発信を禁止する機能制限コマンドとしての「発信禁止コマンド」を選択する。この場合、コマンド選択手段２０４で選択された発信禁止コマンドに基づき、メール作成手段２０３で携帯電話４００に対する遠隔操作を行うためのメールを作成する。メール作成手段２０３で作成したメールをメール送信手段２０２によりパケット分割し、無線通信手段２０１により、無線通信にてメールサーバ３００に送信する。
【００２９】
メールサーバ３００では、無線通信手段３０１でデータを受信し、受信したデータがメールパケットであれば、メール受信手段３０２によりメールを受信する。メール受信手段３０２で受信したメールを特定メールアドレス管理手段３０３において解析し、特定の発信元メールアドレスであれば、メール送信手段３０５にメールの送信指示を行う。特定メールアドレス管理手段３０３において、特定の発信元メールアドレスでないと判断された場合は、一括受信拒否手段３０４において、受信拒否すべきメールアドレスかどうかを判定し、受信拒否すべきメールアドレスでなければ、メール送信手段３０５にメールの送信指示を行う。メール送信手段３０５により、メールをパケット分割し、無線通信手段３０１により、無線通信にて携帯電話４００に送信する。
【００３０】
携帯電話４００では、無線通信手段４０１でデータを受信し、受信したデータは、受信手段４０２により音声データであれば、通話手段４１０において音声出力し、メールパケットであればメール受信手段４０３によりメールを受信する。メール受信手段４０３で受信したメールアドレスをメールアドレス解析手段４０４において、特定メールアドレス記憶手段４０５から読み出した特定の発信元メールアドレスと比較し、特定の発信元メールアドレスであれば、遠隔操作の可能性があるとして、コマンド解析手段４０６にコマンド解析の指示を行う。コマンド解析手段４０５では、解析するコマンドの中に遠隔操作を行うためのコマンドがあるか解析し、コマンドがあれば、コマンド制御手段４０７にコマンドを通知する。
【００３１】
ここで、通信端末２００から送信されたコマンドが、携帯電話４００の機能を制限する「発信禁止コマンド」であれば、コマンド制御手段４０７により、不正な発信を禁止することができる。また、携帯電話４００が発見されたときに、パスワード入力手段４０９からパスワードが入力されると、コマンド解析手段４０７はパスワード記憶手段４０８からパスワードを読み出して比較する。パスワードが一致したら、「発信禁止コマンド」を解除することにより、発見時にパスワードの入力によって、発信可能となる。また、通信端末２００から遠隔操作する際に、携帯電話４００の電源がオフまたは通信圏外の場合、通信端末２００からコマンドを含むメールがメールサーバ３００に蓄積されれば、携帯電話４００の電源がオンまたは通信圏内になった時点で、携帯電話４００がメールの有無を確認し、メールを受信することができるので、遠隔操作者は、携帯電話４００の位置及び状態にかかわらず、１回の操作のみで発信禁止の遠隔操作を確実に実行することができる。
【００３２】
次に、図５のフローチャート及び図４を参照して、本発明の第１の実施の形態における携帯端末遠隔操作システムの動作を詳細に説明する。まず、パスワード入力手段４０９において、ステップＳ５００１によりパスワードの入力を判定する。入力がない場合は、通話手段４１０において、ステップＳ５００２により発信要求を判定する。発信要求がない場合は、無線通信手段４０１において、ステップＳ５００３により着信を判定する。着信がある場合、受信手段４０２において、ステップＳ５００４によりパケット着信を判定する。パケットの着信の場合はメール受信手段４０３において、ステップＳ５００５でパケット解析を行い、ステップＳ５００６により、メールパケットかどうかを判定し、メールパケットであれば、他のメールパケットとの連結を行い、ステップＳ５００７でメールの受信を完了判定を行う。
【００３３】
メール受信を完了した場合、メールアドレス解析手段４０４において、ステップＳ５００８により受信したメールの発信元メールアドレスを抽出後、特定メールアドレス格納手段記憶手段４０５からステップＳ５００９により特定の発信元メールアドレスを読み出し、ステップＳ５０１０によりメールアドレスの一致判定を行う。一致した場合、コマンド解析手段４０６において、ステップＳ５０１１によりコマンドがあるか判定を行い、コマンドがあれば、ステップＳ５０１２により機能制限コマンドとしての発信禁止コマンドであるか判定を行う。発信禁止コマンドであれば、ステップＳ５０１３により、発信禁止フラグをセットする。また、ステップＳ５００２において発信要求があった場合、ステップＳ５０１６により発信禁止フラグの判定を行う。発信禁止フラグがセットされていれば、発信しない。発信禁止フラグがセットされていなければ、ステップＳ５０１７により発信処理を行う。また、ステップＳ５００１において、パスワードが入力された場合、ステップＳ５０１４によりパスワードが一致かどうかの判定を行う。パスワードが一致であれば、ステップＳ５０１５により発信禁止フラグをクリアする。
【００３４】
以上のように、本発明の第１の実施の形態によれば、携帯端末が現時点でメール受信できない状況であっても、通信端末側が、携帯端末宛に遠隔操作内容をメール送信さえしておけば、携帯端末はメール受信可能な状態になったときに自動的にメールを受信し、遠隔操作内容を実行でき、かつ、通信事業者が行っていた機能制限を携帯端末保有者が自ら行えるため、通信事業者の機能制限手続きのためのコストを削減でき、機能制限を簡単に解除できるという効果が得られる。
【００３５】
（第２の実施の形態）
次に、図６ないし図９を参照して、本発明の第２の実施の形態における携帯端末遠隔操作システムの構成を説明する。図６の概略図に示す携帯端末遠隔操作システムは、遠隔操作を行う通信端末７００と、メールの取捨選択を行うメールサーバ８００と、遠隔操作される携帯電話９００とから構成される。
また、図７に示す通信端末７００は、音声データを選択するための音声データ選択手段７０７と、遠隔操作するための認証データを作成する認証データ作成手段７０６と、コマンドを解除するためのパスワードを入力するパスワード入力手段７０５と、遠隔操作するための発信禁止コマンドを選択するコマンド選択手段７０４と、選択されたコマンドによりメールを作成するメール作成手段７０３と、作成されたメールをパケット分割して送信するためのメール送信手段７０２と、無線通信するための無線通信手段７０１とで構成される。
【００３６】
また、図８に示すメールサーバ８００は、無線通信するための無線通信手段８０１と、受信データがどのアプリケーションのデータであるかを解析し、受信したデータがメールである場合はメールを受信するメール受信手段８０２と、受信したメールの添付データである認証データが、正当な認証データであるか判定する認証データ管理手段８０３と、認証データが正当でなかった場合、登録済みの一括受信拒否に指定されているドメインであるか判定する一括受信拒否手段８０４と、認証データが正当な場合、そのメールを送信するためにメールをパケット分割してデータを送信するメール送信手段８０５とで構成される。
【００３７】
また、図９に示す携帯電話９００は、無線通信するための無線通信手段９０１と、無線通信手段での受信データがパケットデータであるか音声であるかを判定する受信手段９０２と、パケットデータがメールパケットであった場合、パケットを連結して、メールを受信するメール受信手段９０３と、受信したメールの添付データを抽出し、添付データが認証データの場合、認証データが正当かどうか解析を行う認証データ解析手段９０４と、認証データが正当な場合、コマンドの解析を行うコマンド解析手段９０５と、コマンド解析手段９０５による受信したコマンドの解析において、メール内容または添付データに再生するべき音声データが存在するかどうかを解析し、音声データが存在した場合は、音声データを記憶する音声データ記憶手段９０６と、コマンド解析手段９０５でコマンドがコマンド解除パスワードを含むと判定した場合、そのパスワードを記憶するパスワード記憶手段９０７と、コマンド解析手段９０５で解析したコマンドを実行するコマンド制御手段９０８と、コマンド解除を行うためのパスワードを入力するパスワード入力手段９０９と、音声データを再生するための音声データ再生手段９１０と、メールを送信するメール送信手段９１２と、受信データが音声であった場合、音声通話を可能とする通話手段９１１と、通話手段９１１及びメール送信手段９１２からの要求により、送信を行う送信手段９１３と、遠隔操作のコマンドに対する不正利用を検出する不正利用検出手段９１４とで構成される。
【００３８】
次に、図６ないし図９を参照して、本発明の第２の実施の形態における携帯端末遠隔操作システムの動作を説明する。まず、携帯電話９００の所有者が、携帯電話９００を紛失したとする。この場合、携帯電話９００が紛失物であることを警告する「この携帯電話は紛失物です。」という音声を出力するための音声データを音声データ選択手段７０７より選択する。また、正当な遠隔操作者であることを示す認証データを認証データ作成手段７０６により作成する。また、パスワード入力手段７０５によりコマンドの解除を行うためのパスワードを入力する。また、コマンド選択手段７０４により不正な発信を防ぐ「発信禁止コマンド」を選択する。音声データ選択手段７０７と、認証データ作成手段７０６と、パスワード入力手段７０５と、コマンド選択手段７０４とからの情報によって、メール作成手段７０３により携帯電話９００に対する遠隔操作を行うためのメールを作成する。メール作成手段７０３で作成したメールをメール送信手段７０２によりパケット分割し、無線通信手段７０１により、無線通信にてメールサーバ８００に送信する。
【００３９】
メールサーバ８００では、無線通信手段８０１でデータを受信し、受信したデータがメールパケットであれば、メール受信手段８０２により、メールを受信する。メール受信手段８０２で受信したメールを認証データ管理手段８０３にて解析し、認証データが正当であれば、メール送信手段８０５にメールの送信指示を行う。認証データ管理手段８０３において、認証データが正当でないと判断された場合、一括受信拒否手段８０４にて、受信拒否すべきメールアドレスかどうかを判定し、受信拒否すべきメールアドレスでなければ、メール送信手段８０５にメールの送信指示を行う。メール送信手段８０５により、パケット分割し、無線通信手段８０１により、無線通信にて携帯電話９００に送信する。
【００４０】
携帯電話９００では、無線通信手段９０１でデータを受信し、受信したデータは、受信手段９０２により、音声データであれば、通話手段９１１にて音声出力し、メールパケットであれば、メール受信手段９０３にてメールを受信する。メール受信手段９０３で受信したメールから認証データを抽出し、認証データ解析手段９０４において、正当であると判定されれば、遠隔操作の可能性があるとして、コマンド解析手段９０５にコマンド解析の指示を行う。コマンド解析手段９０５では、遠隔操作を行うための発信禁止コマンドまたは警告コマンドがあるかどうかを解析し、発信禁止コマンドまたは警告コマンドがあれば、コマンド制御手段９０８に発信禁止コマンドまたは警告コマンドの実行を指示する。
【００４１】
また、メールに添付されている音声データがあれば、その音声データを音声データ記憶手段９０６に記憶する。また、添付データにコマンド解除のパスワードがあれば、パスワード記憶手段９０７にコマンド解除パスワードを記憶する。通信端末７００から送信されたコマンドは、「警告コマンド」、「発信禁止コマンド」であるので、不正な発信が実行されようとした場合、コマンド制御手段９０８により発信を禁止するとともに、音声データ再生手段９１０に指示して、音声データ記憶手段９０６から音声データを読み出して、「この携帯電話は紛失物です。」という音声を出力し、拾得者に対して警告することができる。また、紛失した携帯電話を発見したときに、パスワード入力手段９０９からパスワードを入力すると、コマンド解析手段９０８はパスワード記憶手段９０７からパスワードを読み出して比較する。パスワードが一致したら、「発信禁止コマンド」を解除することにより発信可能となる。
【００４２】
また、拾得者がパスワードを解読した場合、再度、通信端末７００から別のパスワードを添付したコマンドを送信してパスワードを変更することにより、連続的な不正を防止することができる。その際、パスワード入力手段９０９に入力するパスワードもそれに合うように変更しなければならない。また、通信端末７００から遠隔操作する際に、携帯電話９００の電源がオフまたは通信圏外の場合、通信端末７００からコマンドを含むメールがメールサーバ８００に蓄積されれば、携帯電話９００の電源がオンまたは通信圏内になった時点で、携帯電話９００がメールの有無を確認し、メールを受信することができるので、遠隔操作者は、携帯電話９００の位置及び状態にかかわらず、１回の操作のみで発信禁止の遠隔操作を確実に実行することができる。
【００４３】
以上説明したように、本実施の形態によると、被遠隔操作側（携帯電話９００）が現時点でメール受信できない状況または位置にあっても、遠隔操作側（通信端末７００）は、被遠隔操作側宛に遠隔操作内容をメール送信さえしておけば、被遠隔操作側がメール受信可能な状態になったときに、メールを受信して遠隔操作内容を実行することができ、かつ、通信事業者が行っていた機能制限を通信端末所有者が自ら行えるため、通信事業者の機能制限手続きのためのコストを削減でき、また、他人にパスワードが漏れている場合には、機能制限と共にパスワードの変更ができることにより、不正利用を困難にすることができる。
【００４４】
（第３の実施の形態）
次に、図１０ないし図１２を参照して、本発明の第３の実施の形態における携帯端末遠隔操作システムの構成を説明する。図１０の概略図に示す携帯端末遠隔操作システムは、遠隔操作を行う通信端末１１００と、メールの取捨選択を行うメールサーバ８００と、遠隔操作される携帯電話１２００と、携帯電話１２００と接続されている車両１３００とから構成される。
【００４５】
また、図１１に示す通信端末１１００は、遠隔操作するための認証データを作成する認証データ作成手段１１０５と、発信禁止コマンドを解除するためのパスワードを入力するパスワード入力手段１１０６と、遠隔操作するためのコマンドを選択するコマンド選択手段１１０４と、選択されたコマンドによりメールを作成するメール作成手段１１０３と、作成されたメールをパケット分割して送信するためのメール送信手段１１０２と、無線通信するための無線通信手段１１０１と、受信したパケットを連結してメール受信するためのメール受信手段１１０７と、受信メールから携帯電話１２００の現在位置情報及び画像データを抽出するメール解析手段１１０８と、メール解析手段１１０８で抽出した現在位置情報から携帯電話１２００の移動軌跡及び画像データの表示を行う表示手段１１０９とで構成される。
【００４６】
また、図８に示すメールサーバ８００は、無線通信するための無線通信手段８０１と、受信データがどのアプリケーションのデータであるかを解析し、受信したデータがメールである場合はメールを受信するメール受信手段８０２と、受信したメールの添付データである認証データが、正当な認証データであるか判定する認証データ管理手段８０３と、認証データが正当でなかった場合、登録済みの一括受信拒否に指定されているドメインであるか判定する一括受信拒否手段８０４と、認証データが正当な場合、そのメールを送信するためにメールをパケット分割してデータを送信するメール送信手段８０５とで構成される。
【００４７】
また、図１２に示す携帯電話９００は、無線通信するための無線通信手段１２０１と、無線通信手段１２０１での受信データがパケットデータであるか音声であるかを判定する受信手段１２０２と、パケットデータがメールパケットであった場合はパケットを連結して、メールを受信するメール受信手段１２０３と、受信したメールの添付データを抽出し、添付データが認証データの場合、認証データの解析を行う認証データ解析手段１２０４と、認証データが正当な場合、コマンドの解析を行うコマンド解析手段１２０５と、コマンド解析手段１２０５において、コマンドがコマンド解除パスワードであった場合、パスワードを記憶するパスワード記憶手段１２０７と、解析したコマンドに従いコマンドを実行するコマンド制御手段１２０８と、コマンドの解除を行うためのパスワードを入力するパスワード入力手段１２０９と、携帯電話１２００の現在位置を検出する位置検出手段１２１０と、運転者の画像を取得する画像取得手段１２１４と、受信データが音声であった場合、音声通話を可能とする通話手段１２１１と、メールを送信するメール送信手段１２１２と、通話手段１２１１及びメール送信手段１２１２からの要求により、送信を行う送信手段１２１３とで構成される。
【００４８】
また、図１３に示す車両１３００は、車両内にある携帯電話１２００からの指示及び運転者からの指示により車両を制御するための車両制御手段１３０１と、現在位置情報の入力により現在位置の道路形態を検索する地図情報検索手段１３０３と、車両制御手段１３０１の指示により車両を停止するための車両停止手段１３０３とで構成される。
【００４９】
次に、図８及び図１１ないし図１３を参照して、本発明の第３の実施の形態における携帯端末遠隔操作システムの動作を説明する。まず、車両１３００の所有者が車両１３００を盗難される。この場合、通信端末１１００において、正当な遠隔操作者であることを示す認証データを認証データ作成手段１１０５により作成する。また、パスワード入力手段１１０６によりコマンドの解除を行うためのパスワードを入力する。また、コマンド選択手段１１０４により車両１３００の停止を指示する「車両停止コマンド」、車両１３００の現在位置を通知する「現在位置通知コマンド」を選択する。メール作成手段１１０３は、認証データ作成手段１１０５と、パスワード入力手段１１０６と、コマンド選択手段１１０４とからの情報によって、携帯電話１２００に対する遠隔操作を行うためのメールを作成する。メール作成手段１１０３で作成したメールをメール送信手段１１０２によりパケット分割し、無線通信手段１１０１により、無線通信にてメールサーバ８００に送信する。
【００５０】
メールサーバ８００では、無線通信手段８０１でデータを受信し、受信したデータがメールパケットであれば、メール受信手段８０２により、メールを受信する。メール受信手段８０２で受信したメールを認証データ管理手段８０３にて解析し、認証データが正当であれば、メール送信手段８０５にメールの送信指示を行う。認証データ管理手段８０３において、認証データが正当でないと判断された場合、一括受信拒否手段８０４にて、受信拒否すべきメールアドレスかどうかを判定し、受信拒否すべきメールアドレスでなければ、メール送信手段８０５にメールの送信指示を行う。メール送信手段８０５により、パケット分割し、無線通信手段８０１により、無線通信にて携帯電話１２００に送信する。
【００５１】
携帯電話１２００では、無線通信手段１２０１でデータを受信し、受信したデータは、受信手段１２０２により、音声データであれば、通話手段１２１１により音声出力し、メールパケットであれば、メール受信手段１２０３によりメールを受信する。メール受信手段１２０３で受信したメールから認証データを抽出し、認証データ解析手段１２０４において、正当であると判定されれば、遠隔操作の可能性があるとして、コマンド解析手段１２０５にコマンド解析の指示を行う。コマンド解析手段１２０５では、遠隔操作を行うためのコマンドがあるか解析し、コマンドがあれば、コマンド制御手段１２０８にコマンドの実行を指示する。また、コマンド解除のパスワードがあれば、パスワード記憶手段１２０７にパスワードを記憶する。通信端末１１００から送信されたコマンドは、「車両停止コマンド」、「現在位置通知コマンド」である。
【００５２】
コマンド制御手段１２０８により「車両停止コマンド」を実行すると、車両１３００の車両制御手段１３０１に「車両停止」を指示する。また、「現在位置通知コマンド」を実行すると、位置検出手段１２１０に対して、一定周期毎に検出した位置データを通知するように指示する。それによって、位置検出手段１２１０で検出された現在位置情報は、一定周期毎にコマンド制御手段１２０８に通知する。画像取得手段１２１４は、運転者の顔写真を画像データとして取得し、コマンド制御手段１２０８に通知する。メール作成手段としてのコマンド制御手段１２０８は、位置検出手段１２１０からの現在位置情報及び画像取得手段１２１４からの画像データを含むメールを作成して、メール送信手段１２１２から送信する。また、コマンド制御手段１２０８は、車両制御手段１３０１に対し現在位置情報を転送する。
【００５３】
車両１３００では、車両制御手段１３０１により、「車両停止」の指示を受けると、危険でない位置に車両を停止するために、一定周期毎にコマンド制御手段１２０８から転送された現在位置情報を地図情報検索手段１３０３に通知し、地図情報検索手段１３０３は現在位置情報により周辺情報を検索する。車両制御手段１３０１は、周辺情報により交差点などの危険な位置でないと判断すると、車両停止手段１３０２に車両停止を指示する。車両停止手段１３０２は、車両１３００を停止する。
【００５４】
また、車両を発見して戻ったときに、携帯電話１２００のパスワード入力手段１２０９からパスワードを入力すると、コマンド解析手段１２０８は、パスワード記憶手段１２０７からパスワードを読み出して比較する。パスワードが一致すると、「車両停止コマンド」、「現在位置通知コマンド」を解除することにより車両が動作可能となる。また、盗難者がパスワードを解読した場合、再度、通信端末１１００からパスワード変更コマンドによりパスワードを変更してメール送信することにより、連続的な不正を防止することができる。
【００５５】
また、通信端末１１００から遠隔操作する際に、携帯電話１２００の電源がオフまたは通信圏外の場合、通信端末１１００からのコマンドを含むメールがメールサーバ８００に蓄積されれば、携帯電話１２００の電源がオンまたは通信圏内になった時点で、携帯電話１２００がメールの有無を確認し、メールを受信することができるので、遠隔操作者は、携帯電話１２００の位置及び状態にかかわらず、１回の操作のみにより車両停止の遠隔操作を実行することができる。また、現在位置情報の通知においても、携帯電話１２００が通信圏外であっても、一定周期毎に通知される現在位置情報を蓄積し、通信圏内になった時点で、携帯電話１２００がメール送信することができるので、メールを受信した通信端末１１００は、車両の走行軌跡及び現在位置を知ることができる。
【００５６】
以上説明したように、本実施の形態によると、被遠隔操作側の車両１３００及び携帯電話１２００が現時点で通信不能な状況であっても、遠隔操作側の通信端末１１００は、被遠隔操作側宛に遠隔操作内容をメール送信しておけば、被遠隔操作側が通信可能状態になったときに自動的にメールを受信し、遠隔操作内容を実行できるため、被遠隔操作側の現在位置情報、移動軌跡及び画像データにより車両を早期に発見することができ、また、他人にパスワードが漏れている場合でも、パスワードの変更と共に機能制限することができるため、不正利用を困難にすることができるという効果が得られる。
【００５７】
【発明の効果】
本発明における携帯端末遠隔操作システムは、上記のように構成され、特に、携帯電話が紛失または盗難にあったときに、通信事業者を通さず、他の通信端末から直接携帯電話に遠隔操作により機能制限等のメールを送信することにより、携帯電話が現時点で通信不能であっても、通信可能状態になったときに自動的にメールを受信して遠隔操作内容を実行できるため、一度のメール送信のみにより確実に遠隔操作が可能であり、通信事業者の手続きが不要のため、コストを削減することができる。
【図面の簡単な説明】
【図１】本発明の第１の実施の形態における携帯端末遠隔操作システムの構成を示すブロック図、
【図２】本発明の第１の実施の形態における携帯端末遠隔操作システムの通信端末の構成を示すブロック図、
【図３】本発明の第１の実施の形態における携帯端末遠隔操作システムのメールサーバの構成を示すブロック図、
【図４】本発明の第１の実施の形態における携帯端末遠隔操作システムの携帯電話の構成を示すブロック図、
【図５】本発明の第１の実施の形態における携帯端末遠隔操作システムの動作を示すフローチャート、
【図６】本発明の第２の実施の形態における携帯端末遠隔操作システムの構成を示すブロック図、
【図７】本発明の第２の実施の形態における携帯端末遠隔操作システムの通信端末の構成を示すブロック図、
【図８】本発明の第２の実施の形態における携帯端末遠隔操作システムのメールサーバの構成を示すブロック図、
【図９】本発明の第２の実施の形態における携帯端末遠隔操作システムの携帯電話の構成を示すブロック図、
【図１０】本発明の第３の実施の形態における携帯端末遠隔操作システムの構成を示すブロック図、
【図１１】本発明の第３の実施の形態における携帯端末遠隔操作システムの通信端末の構成を示すブロック図、
【図１２】本発明の第３の実施の形態における携帯端末遠隔操作システムの携帯電話の構成を示すブロック図、
【図１３】本発明の第３の実施の形態における携帯端末遠隔操作システムの車両の構成を示すブロック図、
【符号の説明】
２００、７００、１１００  通信端末
３００、８００  メールサーバ
４００、９００、１２００  携帯電話
１３００  車両
２０１、３０１、４０１、７０１  無線通信手段
８０１、９０１、１１０１、１２０１  無線通信手段
２０２、３０５、４１１、７０２  メール送信手段
８０５、９１２、１１０２、１２１３  メール送信手段
２０３、７０３、１１０３  メール作成手段
２０４、７０４、１１０４  コマンド選択手段
３０２、８０２、９０３、１１０７、１２０３  メール受信手段
３０３  特定メールアドレス管理手段
３０４、８０４  一括受信拒否手段
４０２、９０２、１２０２  受信手段
４０４  メールアドレス解析手段
４０５    特定メールアドレス記憶手段
４０６、９０５、１２０５  コマンド解析手段
４０７、９０８、１２０８  コマンド制御手段
４０８、９０７、１２０７  パスワード記憶手段
４０９、７０５、９０９、１１０６、１２０９  パスワード入力手段
４１０、９１１、１２１１  通話手段
４１２、９１３、１２１１  送信手段
７０６、１１０５  認証データ作成手段
７０７  音声データ選択手段
８０３  認証データ管理手段
９０４、１２０４  認証データ解析手段
９０６  音声データ記憶手段
９１０  音声データ再生手段
１１０８    メール解析手段
１１０９    表示手段
１２１０    位置検出手段
１２１４    画像取得手段
１３０１    車両制御手段
１３０２    車両停止手段
１３０３    地図情報検索手段
【図１】
2004166013.tif 000003
【図２】
2004166013.tif 000004
【図３】
2004166013.tif 000005
【図４】
2004166013.tif 000006
【図５】
2004166013.tif 000007
【図６】
2004166013.tif 000008
【図７】
2004166013.tif 000009
【図８】
2004166013.tif 000010
【図９】
2004166013.tif 000011
【図１０】
2004166013.tif 000012
【図１１】
2004166013.tif 000013
【図１２】
2004166013.tif 000014
【図１３】
2004166013.tif 000015